(57)【特許請求の範囲】
【請求項１】
基板の実装されるスロットを備え、前記スロットにおける基板の実装状態を複数に分類しつつ動作する基板挿し替え型の電子装置であって、
実装可能な基板種別をスロット毎に登録する登録手段と、
実装された基板の種別をスロット毎に記憶する記憶手段と、
各スロット毎に基板の実装の有無を認識し、基板の実装されたスロットについては当該実装された基板の種別を識別する識別手段と、
各スロット毎に、前記記憶手段に記憶された基板種別と前記識別手段で識別された基板種別とを比較し、両者の一致または不一致を判定する第１の比較手段と、
各スロット毎に、前記登録手段に登録された基板種別に前記識別手段で識別された基板種別が含まれているか否かを判定する第２の比較手段と、
前記識別手段、前記登録手段、前記第１および第２の比較手段から与えられる情報をもとに各スロット毎にその実装状態を判定する判定手段とを具備し、
この判定手段は、
実装可能な基板種別が前記登録手段に登録されていないスロットに対しては、このスロットの実装状態を管理対象外状態と判定し、
実装可能な基板種別が前記登録手段に登録されており、かつ基板の実装されていないスロットに対しては、このスロットの実装状態を未実装状態と判定し、
実装可能な基板種別が前記登録手段に登録されており、かつ基板が実装されており、かつ前記識別手段で識別された基板種別が前記登録手段に登録された基板種別に含まれていないスロットに対しては、このスロットの実装状態を登録外誤実装状態と判定し、
実装可能な基板種別が前記登録手段に登録されており、かつ基板が実装されており、かつ前記識別手段で識別された基板種別が前記登録手段に登録された基板種別に含まれており、かつ前記記憶手段に記憶された基板種別と前記識別手段で識別された基板種別とが一致するスロットに対しては、このスロットの実装状態を正常実装状態と判定し、
実装可能な基板種別が前記登録手段に登録されており、かつ基板が実装されており、かつ前記識別手段で識別された基板種別が前記登録手段に登録された基板種別に含まれており、かつ前記記憶手段に記憶された基板種別と前記識別手段で識別された基板種別とが一致しないスロットに対しては、このスロットの実装状態を登録済誤実装状態と判定することを特徴とする基板挿し替え型の電子装置。
【請求項２】
前記記憶手段は、前記判定手段において前記正常実装状態にある旨を判定されたスロットに対しては、このスロットにつき基板種別を更新して記憶することを特徴とする請求項１に記載の基板挿し替え型の電子装置。
【請求項３】
前記判定手段で得られた判定結果を利用して動作する外部装置に接続され、前記登録部における登録内容を前記外部装置から更新可能であることを特徴とする請求項１または２に記載の基板挿し替え型の電子装置。
【請求項４】
前記記憶手段は、前記登録部に対する前記登録内容の更新の結果、実装可能な基板種別が前記登録手段に登録されなくなったスロットに対しては記憶内容を初期化することを特徴とする請求項３に記載の基板挿し替え型の電子装置。
【請求項５】
基板の実装されるスロットを備え、前記スロットにおける基板の実装状態を複数に分類する基板挿し替え型の電子装置であって、
実装可能な基板種別をスロット毎に登録する登録手段と、
各スロットから与えられる情報を伝達する情報収集バスと、
実装された基板の種別をスロット毎に記憶する記憶手段と、
前記情報収集バスを介して前記スロットから情報を収集し、各スロット毎に基板の実装の有無を認識し、基板の実装されたスロットについては当該実装された基板の種別を識別し、基板の実装されていないスロットについては予め定められた規定値を認識する識別手段と、
各スロット毎に、前記登録手段に登録された基板種別に前記識別手段で識別された基板種別が含まれているか否かを判定する比較手段と、
前記識別手段、前記登録手段、および前記比較手段から与えられる情報をもとに、前記情報収集バスを介して通知される基板の種別が安定しない場合には、このスロットに係わる前記情報収集バスの状態を異常状態として判定する判定手段とを具備することを特徴とする基板挿し替え型の電子装置。
【請求項６】
前記判定手段は、
実装可能な基板種別が前記登録手段に登録されており、かつ基板が実装されており、かつ前記識別手段で識別された基板種別が前記登録手段に登録された基板種別に含まれており、かつ前記記憶手段に記憶された基板種別と前記識別手段で識別された基板種別とが一致するスロットに対しては、このスロットの実装状態を正常実装状態と判定し、
さらに、この判定手段により正常実装状態と判定されたスロットに実装された基板から前記情報収集バスを介して情報を収集する収集手段を具備することを特徴とする請求項５に記載の基板挿し替え型の電子装置。
【発明の詳細な説明】
【０００１】
【発明の属する技術分野】
本発明は、例えば通信装置など、本体に形成されたスロットに各種基板を挿し替え可能とした電子装置とその基板実装管理方法に関する。
【０００２】
【従来の技術】
例えば多数の通信回線を収容する交換機や通信ノードなどから、家庭用のパーソナルコンピュータに至るまで、本体にスロットを形成し、このスロットに各種基板を挿し替え可能として運用上の便宜を図った電子装置は多い。
【０００３】
この種の電子装置につき、以下通信装置を例として図８〜図１１を参照しつつ説明する。図８は従来の通信装置の基板挿し替えに係わる部分を示す機能ブロック図である。この通信装置は、それぞれ複数種別の基板を実装可能な複数のスロット１−１〜１−ｎを備えている。
【０００４】
スロット１−１〜１−ｎのいずれかに基板が実装されると、識別部２は当該基板に組み込まれた識別子（基板種別ＩＤ）を周期的に読み取り、この基板の種別を識別してその結果を実装比較部３に通知する。実装比較部３は、通知を受けた基板種別が登録部４に予め登録されているか否かを判定し、その結果を通知部５に通知する。通知部５は、実装比較部３から受けた通知をもとに基板の実装状態を“正常実装”、“誤実装”、“未実装”の３つの状態に区別して監視装置６に通知する。
【０００５】
図９に、上記構成における実装状態の状態遷移図を示す。図９において、未実装の状態から登録部４に登録済みの基板が挿される（▲２▼）と、正常実装が判定され、その旨が監視装置６に通知される。この基板を抜く（▲１▼）と、未実装状態に戻る。また未実装状態から登録部４に登録されていない基板が挿される（▲３▼）と、誤実装となる。
【０００６】
ところで、上記構成では、登録部４への登録の有無だけを拠り所として、基板が正常に実装されたか、誤って実装されたかを判定している。このため、以下に示すような不具合が起こり得る。
【０００７】
図１０を参照してこの不具合につき説明する。いま仮に、スロット１−１について基板ＡおよびＢが登録されているとする（図１０の登録基板の欄：基板Ａ＋基板Ｂ）。このスロット１−１に、基板が挿入されていない状態（前実装基板：なし）から基板ＡまたはＢが挿入されると、ともに正常実装として認識される。登録の無い基板Ｃが挿入されると誤実装、また基板が挿入されないままの状態では未実装として認識される。
【０００８】
一方、問題となるのは、基板を実装しようとするスロットに、以前に実装されていた基板が有る場合である。ここでは、スロット１−１に基板Ａが実装されていた場合を考える（前実装基板：基板Ａ）。この状態から基板Ａを抜き、例えば調整などののち再び基板Ａを戻すと、正常実装となる。
【０００９】
ところが、スロット１−１から基板Ａを抜いた後、誤って基板Ｂを挿してしまっても、これは正常実装として認識されてしまう（図中点線囲み部分）。基板Ｂは、スロット１−１に登録されているからである。このため、基板の取り違えなど予期しない実装ミスを知るすべが無く、運用上不便である。
【００１０】
また別の不具合として、上記構成では基板がスロットから取り外されると未実装状態となり、その旨が監視装置６に通知されたままとなってしまう。このような事態は、監視装置６に対して無用な処理負担を強いることになり好ましくない。したがってなるべく空きのスロットを作らないようにするという制限が課せられることになり、システム構成を柔軟に変更し難いという不都合があった。
【００１１】
さらに従来の他の例を説明する。図１１は従来の通信装置の基板挿し替えに係わる部分の他の例を示す機能ブロック図である。この通信装置は、スロット１−１〜１−ｎにそれぞれ実装された基板からバックボード（図示せず）上の情報収集バスを介して、警報情報や性能情報などを収集するものである。この目的のため基板（符号を１００とする）にはパリティ付加部１０１を備える。
【００１２】
スロット１−１〜１−ｎのいずれかに基板１００が実装されると、情報収集部８は情報収集バス７を介して基板１００の警報情報や性能情報などを収集する。また情報収集バス７、およびパリティ用バス９を介して基板１００のパリティ情報がパリティ解析部１０に与えられる。
【００１３】
パリティ解析部１０は、情報収集バス７、パリティ用バス９を介して各々与えられたパリティ情報を比較し、両者が異なる場合には情報収集バス７に障害が発生したとして、これを情報収集部１７に通知する。このようにして情報収集バス７の障害の有無が検出される。
【００１４】
一方、この通信装置は判定部１１を備え、識別部２、実装比較部３、登録部４からの情報をもとに正常実装、誤実装、未実装の３つの実装状態が区別される。
【００１５】
基板の実装状態を含む各種の情報は情報収集部に与えられるが、これらの情報は基板が正常に実装された状態で、かつ情報収集バス７が正常の状態にあるときにのみ信頼性有りとして取り扱われる。以上のようにして上記通信装置では、スロット１−１〜１−ｎの基板実装状態を正常実装、誤実装、未実装に分類し、かつ情報収集バス７の状態を監視するようにしている。
【００１６】
しかしながら上記構成では、情報収集バス７の状態を監視でき、信頼性を高めることなどが確かに可能となるものの、少なくとも基板にパリティ１０１付加部を設けると共に、バックボード上にパリティ用バス９を新たに設けることが必要となる。このため構成の繁雑化などの種々の弊害を招く虞がある。
【００１７】
【発明が解決しようとする課題】
以上述べたように、従来の基板挿し替え可能な電子装置にあっては、基板の実装状態を正常実装、誤実装、未実装なる３通りにしか区別できなかった。すなわち管理者に与えられる情報量が少なく、例えば基板の実装ミスを生じても管理者がこれを認識できないことがあり、運用上不便であった。またシステム構成の変更に柔軟に対処し難いものであった。さらには、情報収集バスの状態を監視するために、基板にてパリティを付加してこれを利用していたため、構成の肥大化、繁雑化を招くといった不具合があった。
【００１８】
本発明は上記事情によりなされたもので、その第１の目的は、実装状態の分類に係わる情報量を多くして運用上の便宜の向上を図るとともに、システムの変更に柔軟に対処することの可能な基板挿し替え型の電子装置を提供することにある。
【００１９】
また本発明の第２の目的は、構成簡易にして情報収集バスの状態を監視することの可能な基板挿し替え型の電子装置を提供することにある。
【００２０】
【課題を解決するための手段】
上記目的を達成するために第１の本発明は、基板の実装されるスロットを備え、前記スロットにおける基板の実装状態を複数に分類しつつ動作する基板挿し替え型の電子装置であって、
実装可能な基板種別をスロット毎に登録する登録手段と、実装された基板の種別をスロット毎に記憶する記憶手段と、各スロット毎に基板の実装の有無を認識し、基板の実装されたスロットについては当該実装された基板の種別を識別する識別手段と、各スロット毎に、前記記憶手段に記憶された基板種別と前記識別手段で識別された基板種別とを比較し、両者の一致または不一致を判定する第１の比較手段と、各スロット毎に、前記登録手段に登録された基板種別に前記識別手段で識別された基板種別が含まれているか否かを判定する第２の比較手段と、前記識別手段、前記登録手段、前記第１および第２の比較手段から与えられる情報をもとに各スロット毎にその実装状態を判定する判定手段とを具備し、
上記判定手段に、実装可能な基板種別が前記登録手段に登録されていないスロットに対しては、このスロットの実装状態を管理対象外状態と判定させ、実装可能な基板種別が前記登録手段に登録されており、かつ基板の実装されていないスロットに対しては、このスロットの実装状態を未実装状態と判定させ、実装可能な基板種別が前記登録手段に登録されており、かつ基板が実装されており、かつ前記識別手段で識別された基板種別が前記登録手段に登録された基板種別に含まれていないスロットに対しては、このスロットの実装状態を登録外誤実装状態と判定させ、実装可能な基板種別が前記登録手段に登録されており、かつ基板が実装されており、かつ前記識別手段で識別された基板種別が前記登録手段に登録された基板種別に含まれており、かつ前記記憶手段に記憶された基板種別と前記識別手段で識別された基板種別とが一致するスロットに対しては、このスロットの実装状態を正常実装状態と判定させ、実装可能な基板種別が前記登録手段に登録されており、かつ基板が実装されており、かつ前記識別手段で識別された基板種別が前記登録手段に登録された基板種別に含まれており、かつ前記記憶手段に記憶された基板種別と前記識別手段で識別された基板種別とが一致しないスロットに対しては、このスロットの実装状態を登録済誤実装状態と判定させるようにしたものである。
【００２１】
また第１の本発明は、前記記憶手段に、前記判定手段において正常実装状態にある旨を判定されたスロットに対しては、このスロットにつき基板種別を更新して記憶させるようにした。
【００２２】
また第１の本発明は、前記判定手段で得られた判定結果を利用して動作する外部装置に接続され、前記登録部における登録内容を前記外部装置から更新可能とした。
【００２３】
また第１の本発明は、前記記憶手段に、前記登録部に対する前記登録内容の更新の結果、実装可能な基板種別が前記登録手段に登録されなくなったスロットに対しては記憶内容を初期化させるようにした。
【００２４】
このような手段を講じることにより、スロットの基板実装状態は、管理対象外、未実装、登録外誤実装、正常実装、登録済誤実装なる５つの実装状態とに分類される。すなわち、実装状態を表すステータスが５つに細分化される。
【００２５】
これにより、実装状態の分類に係わる情報量を増やすことができ、運用上の便宜の向上を図ることが可能となる。さらに、管理対象外なるステータスを設け、登録部における登録内容を前記外部装置から更新可能としたことで、外部装置としての管理装置の負荷を考慮することなく、システムの変更に柔軟に対処することが可能となる。
【００２６】
また上記目的を達成するために第２の本発明は、基板の実装されるスロットを備え、前記スロットにおける基板の実装状態を複数に分類する基板挿し替え型の電子装置であって、
実装可能な基板種別をスロット毎に登録する登録手段と、各スロットから与えられる情報を伝達する情報収集バスと、実装された基板の種別をスロット毎に記憶する記憶手段と、前記情報収集バスを介して前記スロットから情報を収集し、各スロット毎に基板の実装の有無を認識し、基板の実装されたスロットについては当該実装された基板の種別を識別し、基板の実装されていないスロットについては予め定められた規定値を認識する識別手段と、各スロット毎に、前記登録手段に登録された基板種別に前記識別手段で識別された基板種別が含まれているか否かを判定する比較手段と、前記識別手段、前記登録手段、および前記比較手段から与えられる情報をもとに、前記情報収集バスを介して与えられる基板の種別が安定しない場合には、このスロットに係わる前記情報収集バスの状態を異常状態として判定する判定手段とを具備するようにしたものである。
【００２７】
上記手段を講じることにより、情報収集バスの状態は、この情報収集バスを介して読み取られる基板種別の安定性を持ってその正常／異常を判定される。これにより、パリティ演算手段およびパリティ用バスを設ける必要が無くなり、その結果、構成の簡易化を図ることが可能となる。
【００２８】
【発明の実施の形態】
以下、図面を参照して本発明の実施の形態を詳細に説明する。
（第１の実施形態）
図１は、本発明に係わる通信装置の第１の実施形態の構成を示す機能ブロック図である。なお同図において図８、図１１と共通する部分には同一の符号を付して示す。
【００２９】
図１において識別部２は、スロット１−１〜１−ｎのうち基板の実装されているスロットにつき“実装”の旨を、基板の実装されていないスロットにつき“未実装”の旨を判定部１１に通知する。また識別部２は、実装された基板の基板種別ＩＤを読み取ってこれを実装比較部３、記憶部１２、登録比較部１３に通知する。
【００３０】
登録部４には、各スロット１−１〜１−ｎのそれぞれにつき、実装可能な基板種別ＩＤが予め登録されている。この登録内容は、監視装置６からの要求に基づきスロット単位で更新される。
【００３１】
記憶部１２は、各スロット１−１〜１−ｎに実装された基板の種別ＩＤを記憶する。ただし、判定部１１からの情報により、基板の実装状態が“正常実装”であるスロットについてのみ、記憶された実装基板種別ＩＤを更新する。これに対し、“正常実装”でない実装状態にあるスロットについては、記憶された実装基板種別を更新すること無く保持する。さらに、登録部４における基板の登録が削除されたスロットについては、記憶された実装基板種別ＩＤを消去し、初期化する。
【００３２】
実装比較部３は、識別部２から通知された基板の識別ＩＤをもとに、基板の実装されたスロットにつき基板の基板種別と、記憶部１２に記憶された基板種別との比較を行う。ここで両者が一致する場合には当該基板の実装されたスロットにつき“正常”を、一致しない場合には“異常”を判定部１１に通知する。
【００３３】
登録比較部１３は、識別部２で読み取られた基板種別ＩＤが登録部４に登録された基板種別ＩＤに含まれているか否かを各スロット１−１〜１−ｎ毎に判定し、その結果を判定部１１に通知する。すなわち識別部２で読み取られた基板種別ＩＤが登録部４に登録された基板種別ＩＤに含まれている場合には“正常”を、含まれていない場合には“異常”を判定部１１に通知する。
【００３４】
判定部１１は、識別部２、登録部４、実装比較部３および登録比較部１３から与えられる情報をもとに、各スロット毎にその基板の実装状態を判定する。
【００３５】
次に、上記構成における作用を説明する。図２は、本実施形態における基板の実装状態を分類して示す図である。すなわち本実施形態では、誤実装状態はさらに“登録済誤実装”、“登録外誤実装”なる二つの状態に細分され、さらに“管理対象外”なるステータスが新たに追加される。すなわち基板の実装状態は、“正常実装”、“未実装”を含めて５種類のいずれかに分類され、その上で監視装置６に通知される。
【００３６】
このうち“管理対象外”なる実装状態は、登録部４において、実装可能な基板種別が登録されていないスロットにつき与えられる。この実装状態に有るスロットについては、監視装置６は処理を行わない。
【００３７】
“未実装”なる実装状態は、識別部２において“未実装”と判定されたスロットにつき与えられる。
“登録外誤実装”なる実装状態は、識別部２において“実装”と判定され、かつ登録比較部１３において“異常”を判定されたスロットにつき与えられる。すなわちこの実装状態は、登録部４に登録の無い基板が実装されたことにより生じる誤実装状態を示す。
【００３８】
“登録済誤実装”なる実装状態は、識別部２において“実装”と判定され、かつ登録比較部１３において“正常”を判定され、かつ実装比較部３において“異常”を判定されたスロットにつき与えられる。すなわちこの実装状態は、登録部４に登録があるが、前回実装されていた基板と種別の異なる基板が実装されたことにより生じる誤実装状態を示す。
【００３９】
“正常実装”なる実装状態は、識別部２において“実装”と判定され、かつ登録比較部１３において“正常”を判定され、かつ実装比較部３において“正常”を判定されたスロットにつき与えられる。すなわちこの実装状態は、登録部４に登録が有り、前回実装されていた基板と同じ種別の基板が実装されたことを示す。
【００４０】
図３は、上紀構成における基板実装状態の状態遷移を示す図である。基板の挿入されたスロットから基板を抜く（▲１▼）と、そのスロットはいずれも未実装となる。以前に正常に実装されていた基板と同じ基板が挿される（▲２▼）と、このスロットは正常実装となる。登録部４に登録の無い基板が挿された（▲３▼）スロットは、登録外誤実装となる。
【００４１】
登録部４に登録されているが、以前に正常実装されていた基板と異なる基板の挿された（▲４▼）スロットは、登録済誤実装となる。監視装置６からの要求により、登録部４における登録基板が全て削除された（▲５▼）スロットは、管理対象外となり、監視装置６の管理下から外れる。
【００４２】
監視装置６からの要求により、現在実装されている基板種別と同じ基板種別が新たに登録部４に登録された（▲６▼）スロットは、正常実装へと遷移するか、または登録外誤実装から登録済誤実装へと遷移する。逆に、実装されている基板種別を登録部４への登録から削除された（▲７▼）スロットは、登録外誤実装となる。
【００４３】
監視装置６からの要求により、現在実装されている基板種別と異なる基板種別が新たに登録部４に登録された（▲８▼）スロットは、管理対象外から登録外誤実装へと遷移する。監視装置６からの要求により、基板未実装時に登録基板の追加された（▲９▼）スロットは、管理対象外から未実装へと遷移する。
【００４４】
図４を参照して、より具体的な例として基板Ａ、基板Ｂおよび基板Ｃなる基板種別が存在する場合を説明する。例えば、基板が実装されておらず登録基板もないスロットに基板Ａおよび基板Ｂを登録すると、そのスロットは未実装状態となる。このスロットに基板Ａを実装すると、正常実装となる。
【００４５】
基板交換などのため基板Ａをスロットから抜き出すと、未実装状態となる。この状態から当該スロットに基板Ｃを実装すると、基板Ｃは登録されていないので、登録外誤実装となる。基板Ｃの代わりに基板Ｂを実装すると、前に正常実装されていた基板Ａとは異なるので、登録済誤実装となる。
【００４６】
システム変更等により、この基板Ｂの実装されたスロットを新たに正常実装とする場合は、基板Ｂがスロットに実装された状態のまま、登録基板を全て削除してそのスロットを監視対象外とした後、新たに基板Ｂを登録することで、このスロットを正常実装状態とすることができる。
【００４７】
このように本実施形態では、スロットに実装された基板の種別を記憶する記憶部１２と、識別部２で識別された基板種別ＩＤと記憶部１２に記憶された基板種別ＩＤとを比較して一致または不一致を判定する実装比較部３と、識別部２で識別された基板種別ＩＤが登録部４に登録されているか否かを判定する登録比較部１３とを設け、スロットの実装状態を“正常実装”、“登録済誤実装”、“登録外誤実装”、“未実装”、“管理対象外”なる５種類に分類するようにしている。
【００４８】
このようにしたので、基板の実装状態をさらに細分化してあらゆる誤実装状態を判定することができるようになる。すなわち実装状態の分類に係わる情報量を多くすることができ、その結果、運用上の便宜の向上を図れるようになる。また管理対象外なる実装状態を設け、監視装置６におけるスロットの管理を行うか否かの判定基準を与えるようにしたので、システムの変更に柔軟に対処できるようになる。
【００４９】
（第２の実施形態）
次に、本発明の第２の実施形態につき説明する。
【００５０】
図５は、本発明に係わる通信装置の第２の実施形態の構成を示す機能ブロック図である。なお同図において図８、図１１と共通する部分には同一の符号を付して示す。
【００５１】
図５において、各スロット１−１〜１−ｎに実装された基板の種別ＩＤは、情報収集バス７を介して識別部１８にて読み取られる。この読み取られた基板種別ＩＤは、識別部１８および情報収集部８に与えられる。
【００５２】
ここで、基板の実装されていないスロットについては、基板種別ＩＤとして、識別部１８に所定の固定値が伝達される。すなわち識別部１８にてこの値を読み取られたスロットは、未実装の旨を判定される。
【００５３】
登録部２０には、各スロット１−１〜１−ｎ毎に実装可能な基板種別の登録が登録される。この登録内容は、変更および削除可能であり、任意に更新できる。
【００５４】
比較部１９は、登録部２０に登録された基板種別ＩＤと、識別部１８で識別された基板種別ＩＤとを比較し、これが一致する場合には“正常”を、一致しない場合には“異常”を判定部１７に通知する。
【００５５】
記憶部１６には、スロット１−１〜１−ｎのそれぞれにつき判定部１７で判定された実装状態が記憶される。その記憶内容は、判定部１７での判定結果が変化した際には更新される。
【００５６】
判定部１７は、識別部１８、比較部１９から与えられた情報および記憶部１６に記憶されている情報をもとに各スロット１−１〜１−ｎの実装状態を分類し、これを情報収集部８に通知する。また判定部１７は、分類結果を記憶部１６に与え、記憶させる。
【００５７】
情報収集部８は判定部１７からの通知を受け、正常実装状態にあるスロットについてのみ、当該スロットに実装された基板から情報収集バス３を介して警報情報や性能情報などを収集する。
【００５８】
上記構成においては、スロットの実装状態は図６に示す４つの実装状態に分類される。すなわち、“正常実装”、“誤実装”、“未実装”、“バス異常”である。
【００５９】
“未実装”なる実装状態は、識別部１８において未実装と判定されたスロットに対して与えられる。“正常実装”なる実装状態は、判定部１７で誤実装以外の旨を判定され、かつ識別部１８において未実装と判定されなかったスロットのうち、比較部１９で正常（すなわち登録有り）を判定されたスロットに対して与えられる。、“誤実装”なる実装状態は、判定部１７で未実装または誤実装の旨が判定され、かつ識別部１８において未実装と判定されなかったスロットのうち、比較部１９で異常（すなわち登録無し）を判定されたスロットに対して与えられる。
【００６０】
ここで、本実施形態において特徴的なのは、“バス異常”なる実装状態である。この実装状態は、判定部１７で正常実装またはバス異常を判定され、識別部１８で実装の旨を判定され、かつ比較部１９で異常を判定されたスロットに対して与えられる。
【００６１】
すなわち“バス異常”とは、情報収集バス７を介して与えられる基板種別ＩＤが、基板が実装されているにも拘わらず変動する際に与えられるステータスである。つまり本実施形態では、情報収集バス７を介して読み取った基板種別ＩＤが安定しているか、または不安定に変動するか否かを判定することにより、情報収集バス７の状態を判定するようにしている。
【００６２】
上記構成における状態遷移図を図７に示す。すなわち、基板種別ＩＤが、未実装として予め定義された固定値である（▲１▼）スロットは、未実装状態となる。基板種別ＩＤが登録部２０に登録済（▲２▼）のスロットは、未実装またはバス異常から正常実装へと移行する。また基板種別ＩＤとして未登録の値が読み取られた（▲３▼）スロットは、誤実装またはバス異常となる。
【００６３】
このように本実施形態では、未実装のスロットからは情報収集バス７を通じて予め定義された固定値が識別部１８に与えられるようにし、基板種別ＩＤの不安定を検出することで情報収集バス７の異常を検出するようにしている。
【００６４】
このようにしたので、情報収集バス７の状態をモニタするためにパリティビット用バスを設ける必要が無くなり、その分、バックボード上のデータバスの幅を狭くして構成の小型化を図れる。また、パリティを演算するための機能オブジェクトを設ける必要も無くなるので、更なる構成の簡易化を図れるようになる。
【００６５】
【発明の効果】
以上詳述したように第１の本発明によれば、運用上の便宜の向上を図れるとともに、システムの変更に柔軟に対処することの可能な基板挿し替え型の電子装置を提供することが可能となる。
また第２の本発明によれば、構成の簡易化を図ることが可能となる。
【図面の簡単な説明】
【図１】  本発明に係わる通信装置の第１の実施形態の構成を示す機能ブロック図。
【図２】  本発明に係わる通信装置の第１の実施形態における基板の実装状態を分類して示す図。
【図３】  図１の構成における基板実装状態の状態遷移を示す図。
【図４】  本発明に係わる通信装置の第１の実施形態において、より具体的な説明のため用いた図。
【図５】  本発明に係わる通信装置の第２の実施形態の構成を示す機能ブロック図。
【図６】  本発明に係わる通信装置の第２の実施形態における基板の実装状態を分類して示す図。
【図７】  図５の構成における基板実装状態の状態遷移を示す図。
【図８】  従来の通信装置の基板挿し替えに係わる部分を示す機能ブロック図。
【図９】  図８の構成における実装状態の状態遷移図。
【図１０】  従来技術における不具合を説明するために用いた図。
【図１１】  従来の通信装置の基板挿し替えに係わる部分の他の例を示す機能ブロック図。
【符号の説明】
１−１〜１−ｎ…スロット
２…識別部
３…実装比較部
４…登録部
５…通知部
６…監視装置
７…情報収集バス
８…情報収集部
９…パリティ用バス
１０…パリティ解析部
１１…判定部
１２…記憶部
１３…登録比較部
１６…記憶部
１７…判定部
１８…識別部
１９…比較部
２０…登録部
【図１】
0004234268.tif 000002
【図２】
0004234268.tif 000003
【図３】
0004234268.tif 000004
【図４】
0004234268.tif 000005
【図５】
0004234268.tif 000006
【図６】
0004234268.tif 000007
【図７】
0004234268.tif 000008
【図８】
0004234268.tif 000009
【図９】
0004234268.tif 000010
【図１０】
0004234268.tif 000011
【図１１】
0004234268.tif 000012